(57)【要約】【課題】本発明は、密封性が良好なネジ部材の締着部用ガスケットを提供することを目的とする。【解決手段】ネジ穴を備え、前記ネジ穴の開口端部に外方に向って拡径する円錐面を有するネジ穴部材と、頭部と前記頭部の一端面側から伸びる軸部とを備え、前記軸部の外周面は、前記頭部側からネジを設けていない外周面と、前記外周面の一端側からネジを設けたネジ部とを有するネジ部材と、前記ネジ穴に前記ネジ部材を締着した際に、前記円錐面、前記外周面及び前記頭部の一端面により囲まれる環状空間内に配置されるガスケットとよりなるネジ部材の締着部用ガスケットにおいて、前記ガスケットが、前記外周面と接する円筒状の内周面と、前記円錐面と略平行な円錐状外周面とを備えた断面略台形の本体部分と、前記本体部分の前記円錐状外周面から径方向外方に向かって突出している環状のリップ状突起とより構成されている。【選択図】図１
2013087830.tif 000002
【特許請求の範囲】
【請求項１】
ネジ穴（１１）を備え、前記ネジ穴（１１）の開口端部に外方に向って拡径する円錐面（１２）を有するネジ穴部材（１）と、頭部（２１）と前記頭部（２１）の一端面側から伸びる軸部（２２）とを備え、前記軸部（２２）の外周面は、前記頭部（２１）側からネジを設けていない外周面（２２１）と、前記外周面（２２１）の一端側からネジを設けたネジ部（２２２）とを有するネジ部材（２）と、前記ネジ穴（１１）に前記ネジ部材（２）を締着した際に、前記円錐面（１２）、前記外周面（２２１）及び前記頭部（２１）の一端面により囲まれる環状空間（３）内に配置されるゴム状弾性材製ガスケット（４）とよりなるネジ部材の締着部用ガスケットにおいて、
前記ガスケット（４）が、前記外周面（２２１）と接する円筒状の内周面（４１）と、前記円錐面（１２）と略平行な円錐状外周面（４２）とを備えた断面略台形の本体部分（４３）と、前記本体部分（４３）の前記円錐状外周面（４２）から径方向外方に向かって突出している環状のリップ状突起（４４）とより構成されている事を特徴とするネジ部材の締着部用ガスケット。
【請求項２】
前記リップ状突起（４４）は、前記ネジ穴（１１）に前記ネジ部材（２）が締着される際に、前記円錐面（１２）に沿って変形させられることを特徴とする請求項１記載のネジ部材の締着部用ガスケット。
【請求項３】
前記本体部分（４３）の軸方向長さは、前記環状空間（３）の軸方向長さに略等しいことを特徴とする請求項１または２記載のネジ部材の締着部用ガスケット。
【発明の詳細な説明】
【技術分野】
【０００１】
本発明は、ネジ部材の締着部用ガスケットに関するものである。
また、ネジ部に設けたテーパ溝内に使用されるネジ部材の締着部用ガスケットに関する。
【０００２】
更に詳しくは、ＪＩＳ  Ｂ  ２３５１のネジ部に設けたテーパ溝内に使用して有益なネジ部材の締着部用ガスケットに関する。
【背景技術】
【０００３】
従来、ネジ部に設けたテーパ溝内に使用されるネジ部材の締着部用ガスケットとしては、図４に示す構造のものが提案された。
【０００４】
すなわち、従来のネジ部材の締着部用ガスケットは、ネジ穴１１を備え、このネジ穴１１の開口端部に外方に向って拡径する円錐面１２を有するネジ穴部材１と、頭部２１とこの頭部２１の一端面側から伸びる軸部２２とを備え、この軸部２２の外周面は、頭部２１側からネジを設けていない外周面２２１と、この外周面２２１の一端側（図上下端側）からネジを設けたネジ部２２２とを有するネジ部材２と、ネジ穴１１にネジ部材２を締着した際に、円錐面１２、外周面２２１及び頭部２１の一端面により囲まれる環状空間３内に配置されるゴム状弾性材製のＯリング状ガスケット４０とより構成されている。
【０００５】
しかし、この種Ｏリング状ガスケット４０は、ネジ穴１１にネジ部材２を締着する際に、図５に示す様に、ネジ穴１１の開口端部の角部１３に当接し損傷を受ける問題を惹起した。
【０００６】
また、この種Ｏリング状ガスケット４０は、ネジ穴１１にネジ部材２を締着する際に、図６に示す様に、ネジ部材２の回転力や、Ｏリング状ガスケット４０と頭部２１との摩擦力等の影響で環状空間３内に収まらず、一部が環状空間３の外にはみ出す問題を招来した。
【先行技術文献】
【特許文献】
【０００７】
【特許文献１】特開２００６−３２２４６９号公報
【発明の概要】
【発明が解決しようとする課題】
【０００８】
本発明は以上の点に鑑みて、ネジ穴にネジ部材を締着する際に、ゴム状弾性材製ガスケットが損傷を受けたり、ガスケットの一部が配置されるべき環状空間から外にはみ出す事を効果的に回避出来る、密封性が良好なネジ部材の締着部用ガスケットを提供することを目的とする。
【課題を解決するための手段】
【０００９】
上記目的を達成するために本発明にあっては、ネジ穴を備え、前記ネジ穴の開口端部に外方に向って拡径する円錐面を有するネジ穴部材と、頭部と前記頭部の一端面側から伸びる軸部とを備え、前記軸部の外周面は、前記頭部側からネジを設けていない外周面と、前記外周面の一端側からネジを設けたネジ部とを有するネジ部材と、前記ネジ穴に前記ネジ部材を締着した際に、前記円錐面、前記外周面及び前記頭部の一端面により囲まれる環状空間内に配置されるゴム状弾性材製ガスケットとよりなるネジ部材の締着部用ガスケットにおいて、前記ガスケットが、前記外周面と接する円筒状の内周面と、前記円錐面と略平行な円錐状外周面とを備えた断面略台形の本体部分と、前記本体部分の前記円錐状外周面から径方向外方に向かって突出している環状のリップ状突起とより構成されている。
【発明の効果】
【００１０】
本発明は、以下に記載されるような効果を奏する。
請求項１記載の発明のネジ部材の締着部用ガスケットによれば、ネジ穴にネジ部材を締着する際に、ゴム状弾性材製ガスケットが損傷を受けたり、ガスケットの一部が配置されるべき環状空間から外にはみ出す事を効果的に回避出来る、密封性が良好なネジ部材の締着部用ガスケットを提供する事が出来る。
請求項２記載の発明のネジ部材の締着部用ガスケットによれば、ガスケットの損傷をより効果的に阻止出来る。
【００１１】
更に、請求項３記載の発明のネジ部材の締着部用ガスケットによれば、環状空間がガスケットにより略満たされる状態となる為、密封性がより良好なネジ部材の締着部用ガスケットを提供する事が出来る。
【図面の簡単な説明】
【００１２】
【図１】本発明に係るネジ部材の締着部用ガスケットの縦断面図。
【図２】図１のガスケットをネジ部材の締着部に装着し、締着途中の縦断面図。
【図３】図２の状態からネジ部材を完全に締着した状態の縦断面図。
【図４】従来技術に係るＯリング状ガスケットを装着し、ネジ部材を完全に締着した状態の縦断面図。
【図５】従来技術に係るＯリング状ガスケットの締着途中の不具合の一例を示す縦断面図。
【図６】従来技術に係るＯリング状ガスケットの締着途中の不具合の他の例を示す縦断面図。
【発明を実施するための形態】
【００１３】
以下、本発明を実施するための形態について説明する。
図１乃至図３に基づき本発明に係る実施の形態について説明する。
【００１４】
本発明のネジ部材の締着部用ガスケットは、ネジ穴１１を備え、このネジ穴１１の開口端部に外方に向って拡径する円錐面１２を有するネジ穴部材１と、頭部２１とこの頭部２１の一端面側から伸びる軸部２２とを備え、軸部２２の外周面は、頭部２１側からネジを設けていない外周面２２１と、この外周面２２１の一端側からネジを設けたネジ部２２２とを有するネジ部材２と、ネジ穴１１にネジ部材２を締着した際に、円錐面１２、外周面２２１及び頭部２１の一端面により囲まれる環状空間３内に配置されるゴム状弾性材製ガスケット４とにより構成されている。
【００１５】
そして、このガスケット４は、外周面２２１と接する円筒状の内周面４１と、円錐面１２と略平行な円錐状外周面４２とを備えた断面略台形の本体部分４３と、この本体部分４３の円錐状外周面４２から径方向外方に向かって突出している環状のリップ状突起４４とを備えている。
【００１６】
この様な構成とする事により、ネジ穴１１にネジ部材２を締着する際に、ゴム状弾性材製ガスケット４が損傷を受けたり、ガスケット４の一部が配置されるべき環状空間３から外にはみ出す事を効果的に回避出来る、密封性が良好なネジ部材の締着部用ガスケットを提供する事が出来る。
【００１７】
そして、このリップ状突起４４は、図２に示す様に、ネジ穴１１にネジ部材２が締着される際に、円錐面１２に沿って変形させられる為、ガスケット４の損傷をより効果的に阻止出来る。
【００１８】
更に、本体部分４３の軸方向長さは、図３に示す様に、環状空間３の軸方向長さに略等し長さとしている為、環状空間３がガスケット４により略満たされる状態となる為、密封性がより良好なネジ部材の締着部用ガスケットを提供する事が出来る。
【００１９】
また、リップ状突起４４は、頭部２１側に向かって本体部分４３と円錐面１２との間で押し潰される形で存在する為、外部からの泥水等のネジ穴１１内への浸入を効果的に阻止出来る。
【００２０】
また、リップ状突起４４の取付位置及び長さは、ネジ穴１１にネジ部材２を締着した際に、リップ状突起４４の先端がネジ穴部材１の上面と頭部２１の一端面との間で挟み込まれない事が要求される。
【００２１】
この為、リップ状突起４４の長さは、本体部分４３の軸方向長さより短い事が必要であり、また、リップ状突起４４の取付位置は、本体部分４３の軸方向長さの略中央か、よりネジ部２２２に近い円錐状外周面４２に設ける事が好ましい。
【００２２】
本実施態様では、リップ状突起４４を１本としたが複数本設ける態様としても良い。
更に、本体部分４３の軸方向両端部は軸線に直交する平坦面としたが、曲面としても良い。
【００２３】
本発明で使用されるネジ部材の締着部用ガスケット４の材質は、ＦＫＭ、シリコーンゴム、ＥＰＤＭ、ニトリルゴム、アクリルゴム、ＨＮＢＲ等の各種のゴム状弾性体を適宜選択して使用出来る。
【００２４】
また、本発明は上述の発明を実施するための最良の形態に限らず、本発明の要旨を逸脱することなくその他種々の構成を採り得ることはもちろんである。
【産業上の利用可能性】
【００２５】
ＪＩＳ  Ｂ  ２３５１のネジ部に設けたテーパ溝内に使用して有益である。
【符号の説明】
【００２６】
１    ネジ穴部材
２    ネジ部材
３    環状空間
４    ガスケット
１１  ネジ穴
１２  円錐面
２１  頭部
２２  軸部
４１  内周面
４２  円錐状外周面
４３  本体部分
４４  リップ状突起
２２１外周面
２２２ネジ部
【図１】
2013087830.tif 000003
【図２】
2013087830.tif 000004
【図３】
2013087830.tif 000005
【図４】
2013087830.tif 000006
【図５】
2013087830.tif 000007
【図６】
2013087830.tif 000008